(57)【要約】【課題】広い範囲の外光を適切に吸収しコントラストを向上させることができる光学シート、表示装置及び光学シートの製造方法を提供する。【解決手段】映像光源より観察者側に配置され、該映像光源から出射された光を制御して観察者側に出射する複数の層を備える光学シート１０、２０、３０であって、複数の層のうちの少なくとも１層が、光を透過可能にシート面に沿って並列されるプリズム部１２、２２、３２と、プリズム部間に光を吸収可能に並列される楔形部１３、２３、３３とを有する光学機能シート層１１、２１、３１であり、さらに複数の層のうち他の少なくとも１層が、光吸収層１７、２７、３７である光学シートとする。【選択図】図１
2009069416.tif 000002
【特許請求の範囲】
【請求項１】
映像光源より観察者側に配置され、該映像光源から出射された光を制御して前記観察者側に出射する複数の層を備える光学シートであって、
前記複数の層のうちの少なくとも１層が、
光を透過可能にシート面に沿って並列されるプリズム部と、
前記プリズム部間に光を吸収可能に並列される楔形部と、を有する光学機能シート層であり、
さらに前記複数の層のうち他の少なくとも１層が、光を吸収可能な光吸収層である光学シート。
【請求項２】
前記光吸収層は所定の波長の光を吸収することを特徴とする請求項１に記載の光学シート。
【請求項３】
前記楔形部及び前記光吸収層が同一の材料を具備して形成されていることを特徴とする請求項１又は２に記載の光学シート。
【請求項４】
前記光吸収層が前記楔形部と一体に形成されていることを特徴とする請求項１〜３のいずれか一項に記載の光学シート。
【請求項５】
前記楔形部は、該楔形部を構成する材料のみで形成された６μｍ厚さのシートの透過率測定において、透過率が４０〜７０％となるような光吸収性能を有するように構成されていることを特徴とする請求項１〜４のいずれか一項に記載の光学シート。
【請求項６】
シート厚方向断面において、
前記光学機能シート層の前記プリズム部は、一方のシート面側に短い上底、他方のシート面側に長い下底を有する台形であり、
前記楔形部は前記一方のシート面側を底辺とする三角形であることを特徴とする請求項１〜５のいずれか一項に記載の光学シート。
【請求項７】
シート厚方向断面において、
前記光学機能シート層の前記プリズム部は、一方のシート面側に短い上底、他方のシート面側に長い下底を有する台形であり、
前記楔形部は前記一方のシート面側に長い下底、前記他方のシート面側に短い上底を有する台形であることを特徴とする請求項１〜５のいずれか一項に記載の光学シート。
【請求項８】
前記プリズム部の前記上底と前記下底との間に具備される前記台形の斜辺がシート面の法線に対して０度より大きく１０度以下であることを特徴とする請求項６又は７に記載の光学シート。
【請求項９】
前記斜辺が折れ線状、又は曲線からなることを特徴とする請求項８に記載の光学シート。
【請求項１０】
前記楔形部に平均粒径が１μｍ以上の光吸収粒子を含有することを特徴とする請求項１〜９のいずれか一項に記載の光学シート。
【請求項１１】
前記プリズム部を形成する材料が屈折率Ｎｐであり、前記楔形部を形成する材料が屈折率Ｎｂであり、前記ＮｐとＮｂとの間にＮｐ≧Ｎｂの関係があるとともに、当該Ｎｐ及びＮｂが１．４９〜１．５６の値であることを特徴とする請求項１〜１０のいずれか一項に記載の光学シート。
【請求項１２】
前記光学機能シート層の前記プリズム部及び前記楔形部が所定の断面を有して長手方向に延在して形成されるとともに、前記光学機能シート層が２層積層され、該２層の光学機能シート層の前記長手方向が一方と他方で直交するように積層されることを特徴とする請求項１〜１１のいずれか一項に記載の光学シート。
【請求項１３】
請求項１〜１２のいずれか一項に記載の光学シートが備えられることを特徴とする表示装置。
【請求項１４】
請求項１〜１２のいずれか一項に記載の光学シートを製造する方法であって、
前記光吸収層をコーティングにより形成する工程を有し、
前記工程が、光の照射により硬化する光を吸収可能な樹脂を塗布する工程と、
前記塗布された光を吸収可能な樹脂に光の照射をして該光を吸収可能な樹脂を硬化させる工程と、を含む光学シートの製造方法。
【発明の詳細な説明】
【技術分野】
【０００１】
本発明は、映像光源より観察者側に配置されて映像光や外光を適切に制御することができる光学シート、表示装置及び光学シートの製造方法に関し、詳しくは広い範囲に亘って入射する外光を遮断してコントラストを向上させることができる光学シート、表示装置及び光学シートの製造方法に関する。
【背景技術】
【０００２】
プラズマディスプレイパネル（以下、「ＰＤＰ」と記載することがある。）を用いたテレビ等の表示装置では、ＰＤＰよりも観察者側に光学シートが配置されている。この光学シートは、観察者により質の高い映像を提供する役割を有する。そのため該光学シートは、シート面に沿って並列され、ＰＤＰからの映像光を透過させるプリズム部と、該プリズム部間に配置され、映像光や外光を適切に遮断又は反射してコントラストを向上させたり、ゴーストを抑制したりする楔形部とを備えている（特許文献１等）。
【０００３】
【特許文献１】特開２００６−１８９８６７号公報
【発明の開示】
【発明が解決しようとする課題】
【０００４】
特許文献１に記載の光学シートでは、プリズム間に配置された楔形部のみにより外光を吸収するように形成されているので、画面の法線に対して大きい角度から入射する外光（例えば天井照明からの光等）はよく吸収することができる。ところが画面の法線に対して小さい角度からの外光を吸収し難いことから、全体としてコントラストが十分に得られない場合があった。
【０００５】
そこで本発明は、上記問題点に鑑み、広い範囲で外光を適切に吸収し、コントラストを向上させることができる光学シート、表示装置及び光学シートの製造方法を提供することにより前記課題を解決する。
【課題を解決するための手段】
【０００６】
以下、本発明について説明する。なお、本発明の理解を容易にするために添付図面の参照符号を括弧書きにて付記するが、それにより本発明が図示の形態に限定されるものではない。
【０００７】
請求項１に記載の発明は、映像光源より観察者側に配置され、該映像光源から出射された光を制御して観察者側に出射する複数の層を備える光学シート（１０、２０、３０）であって、複数の層のうちの少なくとも１層が、光を透過可能にシート面に沿って並列されるプリズム部（１２、２２、３２）と、プリズム部間に光を吸収可能に並列される楔形部（１３、２３、３３）とを有する光学機能シート層（１１、２１、３１）であり、さらに複数の層のうち他の少なくとも１層が、光を吸収可能な光吸収層（１７、２７、３７）である光学シートを提供することにより前記課題を解決する。
【０００８】
請求項２に記載の発明は、請求項１に記載の光学シート（１０、２０、３０）における光吸収層（１７、２７、３７）は所定の波長の光を吸収することを特徴とする。
【０００９】
請求項３に記載の発明は、請求項１又は２に記載の光学シート（１０、２０、３０）における楔形部（１３、２３、３３）及び光吸収層（１７、２７、３７）が同一の材料を具備して形成されていることを特徴とする。
【００１０】
請求項４に記載の発明は、請求項１〜３のいずれか一項に記載の光学シート（１０、２０、３０）における光吸収層（１７、２７、３７）が楔形部（１３、２３、３３）と一体に形成されていることを特徴とする。
【００１１】
請求項５に記載の発明は、請求項１〜４のいずれか一項に記載の光学シート（１０、２０、３０）における楔形部（１３、２３、３３）は、該楔形部を構成する材料のみで形成された６μｍ厚さのシートの透過率測定において、透過率が４０〜７０％となるような光吸収性能を有するように構成されていることを特徴とする。
【００１２】
ここで「透過率」は、対象であるシートを配置する前後における輝度の比を意味し、最大で１００％の値をとる。
【００１３】
請求項６に記載の発明は、請求項１〜５のいずれか一項に記載の光学シート（１０、２０、３０）のシート厚方向断面において、光学機能シート層（１１、２１、３１）のプリズム部（１２、２２、３２）は、一方のシート面側に短い上底、他方のシート面側に長い下底を有する台形であり、楔形部（１３、２３、３３）は一方のシート面側を底辺とする三角形であることを特徴とする。
【００１４】
請求項７に記載の発明は、請求項１〜５のいずれか一項に記載の光学シート（１０、２０、３０）のシート厚方向断面において、光学機能シート層（１１、２１、３１）のプリズム部（１２、２２、３２）は、一方のシート面側に短い上底、他方のシート面側に長い下底を有する台形であり、楔形部（１３、２３、３３）は一方のシート面側に長い下底、他方のシート面側に短い上底を有する台形であることを特徴とする。
【００１５】
請求項８に記載の発明は、請求項６又は７に記載の光学シート（１０、２０、３０）におけるプリズム部（１２、２２、３２）の上底と下底との間に具備される台形の斜辺がシート面の法線に対して０度より大きく１０度以下であることを特徴とする。
【００１６】
請求項９に記載の発明は、請求項８のいずれか一項に記載の光学シート（１０、２０、３０）における斜辺が折れ線状、又は曲線からなることを特徴とする。
【００１７】
ここで、斜辺が曲線状である場合における該曲線とシート面の法線との成す角は、次のように求める。上記曲線をシート厚方向に１０等分し、得られる各曲線の端点を結び、直線を得る。そして得られた各直線とシート面の法線との成す角がいずれも０度より大きく１０度以下である。
【００１８】
請求項１０に記載の発明は、請求項１〜９のいずれか一項に記載の光学シート（１０、２０）における楔形部（１３、２３）に平均粒径が１μｍ以上の光吸収粒子を含有することを特徴とする。
【００１９】
ここで「平均粒径が１μｍ以上」であることにおける「平均粒径が１μｍ」とは、重量分布法による粒度測定で、粒径が０．５μｍ以上で、１．５μｍより小さい粒子を対象とし、粒度分布において標準偏差が０．３以上であることを意味する。
【００２０】
請求項１１に記載の発明は、請求項１〜１０のいずれか一項に記載の光学シート（１０、２０、３０）におけるプリズム部（１２、２２、３２）を形成する材料が屈折率Ｎｐであり、楔形部（１３、２３、３３）を形成する材料が屈折率Ｎｂであり、ＮｐとＮｂとの間にＮｐ≧Ｎｂの関係があるとともに、当該Ｎｐ及びＮｂが１．４９〜１．５６の値であることを特徴とする。
【００２１】
請求項１２に記載の発明は、請求項１〜１１のいずれか一項に記載の光学シート（１０’’）における光学機能シート層（１１、１１’’）のプリズム部及び楔形部が所定の断面を有して長手方向に延在して形成されるとともに、光学機能シート層が２層積層され、該２層の光学機能シート層の長手方向が一方と他方で直交するように積層されることを特徴とする。
【００２２】
請求項１３に記載の発明は、請求項１〜１２のいずれか一項に記載の光学シート（１０、２０、３０）が備えられることを特徴とする表示装置（１）を提供することにより前記課題を解決する。
【００２３】
請求項１４に記載の発明は、請求項１〜１２のいずれか一項に記載の光学シート（１０、２０、３０）を製造する方法であって、光吸収層（１７、２７、３７）をコーティングにより形成する工程を有し、この工程が、光の照射により硬化する光を吸収可能な樹脂を塗布する工程と、塗布された光を吸収可能な樹脂に光の照射をして該光を吸収可能な樹脂を硬化させる工程とを含む光学シートの製造方法を提供することにより前記課題を解決する。
【発明の効果】
【００２４】
本発明によれば、広い範囲で外光を適切に吸収しコントラストを向上させることができる光学シート、該光学シートを備える表示装置を提供することが可能となる。
【００２５】
また、光学シートにおいて光を吸収可能な材料を塗布してからこれを硬化させることにより形成する製造方法によれば、より簡易に光吸収層を形成することができる。
【００２６】
本発明のこのような作用及び利得は、次に説明する発明を実施するための最良の形態から明らかにされる。
【発明を実施するための最良の形態】
【００２７】
以下本発明を図面に示す実施形態に基づき説明する。
【００２８】
図１は第一実施形態にかかる本発明の光学シート１０の断面を示し、その層構成を模式的に表した図である。図１では、見易さのため繰り返しとなる符号は一部省略することがある（以降に示す各図において同じ。）。光学シート１０は、光学機能シート層１１と、基材層としてのＰＥＴフィルム層１６と、光吸収層１７と、粘着剤層１８とを備えて形成されている。上記各層は図１で示した断面を維持して紙面奥／手前方向に延在する。以下に各層について説明する。
【００２９】
光学機能シート層１１は、光学シート１０のシート面に直交する断面において断面が略台形であるプリズム部１２、１２、…と、該プリズム部１２、１２、…の間に配置された楔形部１３、１３、…とを備えている。図２に１つの楔形部１３及びこれに隣接するプリズム部１２、１２に着目した拡大図を示した。図１、図２、及び適宜示した図を参照しつつ光学機能シート層１１について説明する。
【００３０】
プリズム部１２、１２、…は一方のシート面側が上底、他方のシート面側が下底となるように配置された略台形断面を有する要素である。また、プリズム部１２、１２、…は、屈折率がＮｐである光透過性樹脂で構成されている。これは通常、電離放射線、紫外線等により硬化する特徴を有する例えばエポキシアクリレート等により形成されている。Ｎｐの大きさは特に限定されることはないが材料の入手性の観点から１．４９〜１．５６であることが好ましい。従ってプリズム部１２、１２、…内を映像光が透過することにより観察者に映像光が提供される。
【００３１】
楔形部１３、１３、…は、プリズム部１２、１２、…の間に配置される部位である。従って楔形部１３、１３、…はプリズム部１２、１２、…の上底側を底辺とし、これに対向する頂点をプリズム部１２、１２、…の下底側とする略三角形である。該楔形部１３、１３、…は、屈折率がＮｂである物質が充填されたバインダー部１４と、該バインダー部１４に混入された光吸収粒子１５、１５、…とを備えている。楔形部１３、１３、…に外光が入射及び吸収されることにより映像のコントラストを向上させることができる。
【００３２】
バインダー部１４に充填されるバインダー材は、プリズム部１２、１２、…の屈折率Ｎｐ以下の屈折率Ｎｂである材料により構成される。Ｎｂの大きさは特に限定されることはないが材料の入手性の観点から１．４９〜１．５６であることが好ましい。ＮｐとＮｂとの屈折率の差は特に限定されるものではないが、０〜０．０６であることが好ましい。そして該バインダー材として用いられるものも特に限定されることはないが、例えば、電離放射線、紫外線等により硬化する特徴を有するウレタンアクリレート等を挙げることができる。
【００３３】
当該屈折率差と映像光の入射角との関係により、該映像光の一部は光吸収部１３、１３、…に入射せずにその界面で反射することができ、これは観察者に提供されるので、明るい映像を提供することが可能となる。
【００３４】
光吸収粒子１５、１５、…は、入手性及び取扱いの観点から平均粒径が１μｍ以上の粒子が好ましく、これはカーボン等の顔料又は赤、青、黄等の染料にて所定の濃度に着色されている。これには例えば市販の着色樹脂微粒子を使用することもできる。当該光吸収粒子１５、１５、…の屈折率Ｎｒは特に限定されるものではない。
【００３５】
ここで、楔形部１３、１３、…の光吸収性能は目的によって適宜調整可能であるが、該楔形部を構成する材料のみで形成された６μｍ厚さのシートの透過率測定において、透過率が４０〜７０％となるような光吸収性能を有するように構成されていることが好ましい。透過率が４０〜７０％とするための手段は特に限定されるものではないが、例えば光吸収粒子の含有量や光吸収性能を調整して適用することを挙げることができる。
【００３６】
さらに、楔形部１３、１３、…の斜辺（シート厚さ方向に延在する２つの辺）のシート面法線に対する角度θは特に限定されるものではないが、適切な外光及び映像光の反射・吸収の観点から多くの場合、０度より大きく１０度以下であることが好ましく、０度より大きく６度以下であることがさらに好ましい。
【００３７】
光学機能シート層１１の形状は、図１、図２に示したように、プリズム部１２、１２、…が略台形断面を有し、これらに挟まれて形成される楔形部１３、１３、…は三角形断面を有している。しかし、適切に光を制御することができれば、これら形状は特に限定されることなく適宜適切な形状が採用される。図３に変形例を示した。図３は図２に対応する図で、１つの楔形部１３’と、その両側に配置されるプリズム部１２’、１２’に注目して示した図である。図３からわかるように、楔形部１３’の断面における斜辺（プリズム部１２’、１２’の斜辺）は、１つの斜辺からではなく、２つの斜辺１３ａ’、１３ａ’、１３ｂ’、１３ｂ’から構成されている。すなわち断面において折れ線状の斜辺を有している。詳しくは、プリズム部１２’、１２’の上底（短い側の底）側（紙面左側）に配置される斜辺１３ａ’、１３ａ’は光学シートのシート面の法線に対して角度θ１を有している。一方、プリズム部１２’、１２’の下底（長い側の底）側（紙面右側）に配置される斜辺１３ｂ’、１３ｂ’は光学シートのシート面の法線に対して角度θ２を有している。
【００３８】
この角度θ１、θ２は、θ１＞θ２の関係であるとともにいずれも０度より大きく１０度以下の範囲であることが好ましい。さらに好ましい角度は０度より大きく６度以下である。また、２つの斜辺１３ａ’、１３ｂ’は、光学機能シート層１１の厚み方向（紙面左右方向）にＴ１とＴ２に分ける位置で交差する。Ｔ１とＴ２とは同じ大きさであることが好ましい。
【００３９】
当該変形例は、２つの斜辺により構成されている例であるが、さらに多くの斜辺で構成されることにより、断面において折れ線状であっても良い。さらにはこれが曲線状であっても良い。
【００４０】
本実施形態では、楔形部が三角形である場合を示して説明したが楔形部の形状はこれに限定されるものではなく台形であってもよい。図４に、楔形部が台形である例における光学機能シート層１１’’の楔形部１３’’及びこれに隣接するプリズム部１２’’、１２’’を示した。この形態では図４のように楔形部１３’’が台形であり、このときには該台形における長い底辺（下底）をＰＥＴフィルム層（不図示）とは反対側（紙面左側）に、短い底辺をＰＥＴフィルム層側（紙面右側）に配置することができる。ここで図４にＢで示した上底の長さは２〜２５μｍの範囲であることが好ましい。
【００４１】
図１に戻り、光学シート１０の他の構成について説明する。ＰＥＴフィルム層１６は、該ＰＥＴフィルム層１６上に上記光学機能シート層１１を形成するためのベースとなるフィルム層で、ＰＥＴを主成分として形成されている。当該ＰＥＴフィルム層１６はＰＥＴを主成分として含有していれば良く、他の樹脂が含まれてもよい。ここで主成分とはＰＥＴフィルム層全体に対して５０質量％以上を意味する。また、各種添加剤を適宜な量添加してもよい。一般的な添加剤としては、フェノール系等の酸化防止剤、ラクトン系等の安定剤等を挙げることができる。
【００４２】
光吸収層１７は光量を減少させる層である。光吸収層は光量を減少させることができる性質を有するものであれば特に限定されるものではない。ここで光量を減少させるに際し、光の波長に関係なく光量を減少させるものであってもよいし、所定の範囲の波長の光量を減少させるものであってもよい。所定の波長の光量を減少させる場合にはいわゆる色調の補正もできるので、光量の減少と色調補正を兼ねており、利便性を向上させることが可能である。
【００４３】
上記光の波長に関係なく光量を減少させる場合には例えばＮＤフィルタ（Ｎｅｕｔｒａｌ  Ｄｅｎｓｉｔｙ  Ｆｉｌｔｅｒ）層等を適用することができ、所定の範囲の波長の光量を減少させる場合にはＴｉｎｔ層等を適用することができる。
【００４４】
光吸収層１７において減少される光量は、適用されるＰＤＰの明るさや表示装置によって適宜選択することができる。一例として光吸収層１７において透過率が６０％程度となるように該層の厚さ及び光吸収性能を調整することを挙げることができる。
【００４５】
粘着剤層１８は、後述するように例えばプラズマテレビ１に配置される他のシートや部材に光学シート１０を接着させるための粘着剤が配置された層である。粘着剤層１８に用いられる粘着剤は光を透過するとともに、適切に光学シート１０を他に接着させることができればその材質は特に限定されるものではない。これには例えばアクリル系の共重合体等を挙げることができ、その粘着力は例えば数Ｎ／２５ｍｍ〜２０Ｎ／２５ｍｍ程度である。
【００４６】
以上のような構成を有する光学シート１０により、広範囲に亘る外光を遮断することが可能となり、コントラストが向上する光学シートを提供することができる。その理由については後で説明する。
【００４７】
図５は他の変形例にかかる本発明の光学シート１０’’’の断面で、層構成を模式的に表した図である。本変形例の光学シート１０’’’は、第一実施形態の光学シート１０の光学機能シート層１１とＰＥＴフィルム層１６との間にもう１枚の光学機能シート層１１’’’が挟まれて配置されたものである。このとき、プリズム部１２’’’及び楔形部（図には表れない。）が光学機能シート層１１のプリズム部１２、１２、…及び楔形部１３、１３、…と直交するように配置される。従って、光学機能シート層１１’’’のプリズム部１２’’’と楔形部とは紙面奥／手前方向に交互に並列されている。
【００４８】
図６は、第二実施形態にかかる本発明の光学シート２０の断面を示し、その層構成を模式的に表した図である。光学シート２０は、光学機能シート層２１と、基材層としてのＰＥＴフィルム層２６と、光吸収層２７と、粘着剤層２８とを備えて形成されている。上記各層は図６に示した断面を維持して紙面奥／手前方向に延在する。
【００４９】
第二実施形態の光学シート２０は、光吸収層２７が光学機能シート層２１の一面側で、ＰＥＴフィルム層２６が配置される面とは反対側に備えられることを特徴する。光吸収層２７がこのように配置されても本発明の光学シートとすることができる。光学シート２０に備えられる各層のついては、光学シート１０における説明と共通するのでここでは説明を省略する。
【００５０】
光学シート１０、２０は、例えば次のように製造される。ＰＥＴフィルム層１６、２６の一面側に、プリズム部の材料となる液状体を塗布する。次に、プリズム部形状を形成するロール金型とＰＥＴフィルムとの間に、上記プリズム部となる材料を挟んだ状態で紫外線を照射することにより硬化させてプリズム部１２、１２、…、２２、２２、…を形成する。そして、プリズム部１２、１２、…、２２、２２、…の間に、バインダー部の材料となる透明樹脂中に黒色の光吸収粒子が添加された液状体を充填し、スキージする等して余分な材料を取り除くとともに、紫外線を照射することで硬化させて楔形部１３、１３、…、２３、２３、…を形成する。これにより光学機能シート層１１、２１が製造される。このように製造された光学機能シート層１１、２１に上記光吸収層１７、２７や粘着剤層１８、２８が積層される。
【００５１】
ここで、光吸収層１７、２７が積層される方法は特に限定されるものではない。これには例えば予めフィルム状に形成した光吸収層となる該フィルムを積層させることにより形成してもよい。また、光吸収層となる光硬化性を有する材料をシートに液状体のまま塗工し、これに紫外線等を照射し、硬化させて形成してもよい。これによれば光吸収層を直接コーティングすることが可能である。
【００５２】
図７は第三実施形態にかかる本発明の光学シート３０の断面で、層構成を模式的に表した図である。図８は図７の一部を拡大した図である。光学シート３０は、光学機能シート層３１と、基材層としてのＰＥＴフィルム層３６と、光吸収層３７と、粘着剤層３８とを備えて形成されている。上記各層は図７に示した断面を維持して紙面奥／手前方向に延在する。
【００５３】
ここで図７、図８からわかるように第三実施形態の光学シート３０は、光吸収層３７が光学機能シート層３１の一面側で、ＰＥＴフィルム層３６が配置される面とは反対側に備えられる。さらに楔形部３３、３３、…のバインダー部３４、３４、…は光吸収層３７と同じ材料により形成されて光吸収作用を有するとともに、光吸収層３７と楔形部３３、３３、…とが一体に形成されている。光吸収層３７がこのように配置されても本発明の光学シートとすることができる。光学シート３０に備えられる各層のついては、光学シート１０における説明と共通するのでここでは説明を省略する。これによれば、バインダー部３４、３４、…においても光量を減少させる効果、及び／又は色調補正の効果を備えることが可能となる。
【００５４】
ここで、光吸収層３７の厚さは必要な性能を得ることができれば特に限定されることはないが、製造上の観点から楔形部３３、３３、…に含まれる光吸収粒子の径以下の厚さであることが好ましい。また、光吸収層３７及び楔型部３３、３３、…のバインダーに用いられる材料は特に限定されるものではないが、例えば黒色顔料を混ぜたウレタンアクリレートを挙げることができる。さらに当該黒色顔料としては、例えばカーボンブラック、アイボリーブラック、アニリンブラック、バインブラック、ピーチブラック、及びランプブラック等を挙げることができる。
【００５５】
光学シート３０は例えば次のように製造される。ＰＥＴフィルム層３６の一面側に、プリズム部の材料となる液状体を塗布する。次に、プリズム部形状を形成するロール金型とＰＥＴフィルムとの間に、上記プリズム部となる材料を挟んだ状態で紫外線を照射することにより硬化させてプリズム部３２、３２、…を形成する。そして黒色の光吸収粒子を分散させた光吸収作用を有するバインダー材料をプリズム部３２、３２、…間に充填するとともに、プリズム部３２、３２、…の上底面側の面にこれを塗工する。さらに、プリズム部３２、３２、…の上底面側の面には分散させた光吸収粒子が残らないとともにバインダー材が所定の厚さの層を形成するようにギャップを調整したスキージをおこなって余分な材料を取り除く。次に紫外線を照射して樹脂を硬化させて楔形部３３、３３及び光吸収層３７を形成する。これによれば、楔形部と光吸収層を同時に成形することができる。
【００５６】
ここで、上記では楔形部３３、３３、…及び光吸収層３７を同時に硬化させる例を示したが、同じ材料であるからといって必ずしも同時に硬化させる必要はなく楔形部の硬化と光吸収層の硬化とを別個におこなってもよい。
【００５７】
図９は光学シート３０の変形例である光学シート３０’の断面で、層構成を模式的に表した図である。光学シート３０’は、光学機能シート層３１’と、基材層としてのＰＥＴフィルム層３６’と、光吸収層３７’と、粘着剤層３８’とを備えて形成されている。上記各層は図９に示した断面を維持して紙面奥／手前方向に延在する。
【００５８】
光学シート３０’では、光学シート３０における光吸収粒子３５、３５、…（図８参照）が具備されず、バインダー樹脂に光吸収作用を有する光学シートである。このような光学シート３０’であっても本発明の光学シートをすることが可能である。光学シート３０’に備えられる光吸収粒子以外の各層のついては、光学シート３０における説明と共通するのでここでは説明を省略する。
【００５９】
以上説明した本発明の光学シート１０、２０、３０、３０’に具備される基材層については、必ずしもＰＥＴを材料とすることはなく、その他にもポリブチレンテレフタレート樹脂（ＰＢＴ）、又はポリトリメチレンテレフタレート（ＰＴＴ）樹脂等の「ポリエステル系樹脂」を用いることができる。本実施形態では、性能に加え、量産性、価格、入手可能性等の観点からＰＥＴを主成分とする樹脂が好ましい材料であるとして説明した。
【００６０】
さらに本発明の光学シートには、電磁波を遮断するフィルム層、色調を補正するフィルム層、ネオン線をカットするフィルム層、赤外線をカットするフィルム層、反射を防止するフィルム層、帯電を防止するフィルム層、防眩を目的とするフィルム層等の機能フィルム層が備えられてもよい。
【００６１】
次に、以上のような本発明の光学シート１０が表示装置であるプラズマテレビ１に取り付けられた時の構成について説明する。図１０は光学シート１０がＰＤＰ２の出射側に配置され、当該ＰＤＰ２及び光学シート１０がプラズマテレビ１に備えられたときの該ＰＤＰ２及び光学シート１０が配置される部分に注目して示した断面図である。図１０では紙面右が観察者側である。ここでは、光学シート１０が適用された場合について説明するが、光学シート２０、３０についても同様である。
【００６２】
図１０に示したように、本発明の光学シート１０は、映像源であるＰＤＰ２に対してＡで示した間隙を有して観察者側に配置される。また粘着剤層１８の観察者側には、ガラス板６やＡＲ、ＡＳ、ＡＧの機能を有する各種層（３、４、５）が設けられている。ここで、「ＡＲ」とは「アンチリフレクション」の略で光の反射率を抑える機能をいい、「ＡＳ」とは「アンチスタティック」の略で帯電防止機能を意味する。また「ＡＧ」は「アンチグレア」の略でプリズム部表面のぎらつきを防止することができる機能である。
【００６３】
ここでは、他に備えられる層としてＡＲ、ＡＳ、ＡＧの各種層を例に挙げたが、その他必要に応じてさらに他の機能を有する層を備えることができる。これには例えば、電磁波を遮断する層、赤外線、ネオン線を遮断する層、調色層等を挙げることができる。
【００６４】
ここで、ＰＤＰ２と光学シート１０との間には間隙Ａが設けられているが、当該間隙Ａは必ずしも設けられる必要はなく、ＰＤＰ２の面に直接光学シート１０が積層されてもよい。このときには光学シート１０のＰＤＰ２側の面に粘着剤の層が具備される。
【００６５】
次に本発明の光学シートにより外光がどのように遮断されるかについて説明する。図１１は横軸に視野角（度）、縦軸に相対輝度（％）をとった場合の光吸収層及び光学機能シート層のそれぞれの特性を示したいわゆる視野角特性のグラフである。ここで視野角とは、画面の中心からの該画面の法線と、画面の中心へ向けた視線との角度を意味する。視野角の正負は図１０における紙面上方を正、紙面下方を負としたものである。また、相対輝度とは光学シートを配置しない場合における輝度を１００％としたとき、光学シートを配置したときの輝度のこれに対する比率（割合）を意味する。
【００６６】
視野角特性は各視野角における輝度を測定することによりおこなった。測定は３次元変角光度計（村上色彩研究所製、ＧＰ−５００）を用いた。
【００６７】
図１１からわかるように、光学機能シート層は±１５度の視野角で、光吸収層よりも相対輝度が高い。従ってこれは当該視野角の範囲で光学機能シート層は外光を吸収し難いことを意味する。一方、光吸収層は広い範囲で相対輝度が概ね一定であるものの、それ故に大きい視野角（絶対値が大きい角度）において相対輝度が高く、外光を吸収し難くなってしまう。
【００６８】
本発明の光学シート１０によれば図１２に模式的に示したように、大きい角度（絶対値が大きい角度）で入射する外光Ｌ１１は主に楔形部１３で吸収され、小さい角度（絶対値が小さい角度）で入射する外光Ｌ１２は主に光吸収層１７で吸収される。図１３には光学シート２０である例を同様に示した。これによれば大きい角度（絶対値が大きい角度）で入射する外光Ｌ２１は主に楔形部２３で吸収され、小さい角度（絶対値が小さい角度）で入射する外光Ｌ２２は、プリズム部２２は透過するが光吸収層２７で吸収される。
【００６９】
一方、従来の光学シート１１０によれば、図１４に示したように、大きい角度（絶対値が大きい角度）で入射する外光Ｌ１１１は主に楔形部１１３で吸収されるが、小さい角度（絶対値が小さい角度）で入射する外光Ｌ１１２は吸収されずに透過してしまう。従って、当該透過光は、ＰＤＰに達したりその他各面、境界において反射したりするので、映像光に影響を与え、コントラストの低下を招いてしまう。
【００７０】
以上のように本発明の光学シートによれば、広い範囲から入射する外光を適切に吸収することができるので、コントラストのよい光学シートとすることができる。
【００７１】
以上のような構成を備える光学シートに関して、以下に実施例を示し、さらに詳しく説明する。ただし、本発明は実施例の範囲に限定されるものではない。
【実施例】
【００７２】
実施例として波長の依存性のない光吸収層を備える例（実施例）と、光吸収層を備えない例（比較例）とにおいて外光入射角を小さくした場合にコントラストにどのような影響があるかについて試験した例を示す。以下に条件、及び結果について説明する。
【００７３】
＜試験試料＞
試験試料として、光吸収層の有無及び積層位置のみを変更した光学シートを製作した。表１に具体的に示した。
【００７４】
【表１】
2009069416.tif 000003
【００７５】
ここで、Ｎｏ．１で示した光学シートは光吸収層を観察者側に備える実施例（上記光学シート１０に対応）、Ｎｏ．２で示した光学シートは光吸収層を映像源側に備える実施例（上記光学シート２０に対応するもの）である。また、Ｎｏ．３で示した光学シートは光吸収層を備えていない光学シートである。
【００７６】
＜コントラスト測定＞
コントラストの測定は次のようにおこなった。ＰＤＰの画面中心に上から所定の角度で、照度１５０ｌｘとなるように外光を照射する。そして、ＰＤＰにより画面を白く表示させた場合と、黒画面とした場合との輝度の比をコントラストとした。ここで所定の角度は３０度とした。
【００７７】
評価は上記所定角度（３０度）におけるコントラストの値と、光吸収層が配置されない場合（Ｎｏ．３と同じ）における外光入射角４５度のコントラストの値（基準コントラスト）とを比較した。表２に結果を示す。
【００７８】
【表２】
2009069416.tif 000004
【００７９】
基準コントラストとなる光吸収層を配置しない場合における外光入射角４５度時のコントラストは５４．６であった。これに対し、外光入射角度が浅い３０度のときにおける各光学シートのコントラストをみると、比較例Ｎｏ．３ではコントラストが低下している。一方、本発明の光学シートであるＮｏ．１、及びＮｏ．２では、外光入射角度が浅いにもかかわらず、Ｎｏ．３の外光入射角度が４５度のときのコントラストと概ね同じコントラストを得ることができた。すなわち、光吸収層を備えることにより浅い角度でも良好なコントラストを得ることができ、その結果広い範囲の外光入射角に対しても良好なコントラストを得ることが可能である。
【００８０】
以上、現時点において最も実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う光学シート、表示装置及び光学シートの製造方法も本発明の技術的範囲に包含されるものとして理解されなければならない。
【図面の簡単な説明】
【００８１】
【図１】第一実施形態にかかる本発明の光学シートの断面を示し、その層構成を模式的に表した図である。
【図２】図１に示した光学シートの一部を拡大して示した図である。
【図３】変形例にかかる本発明の光学シートの一部を拡大して示した図である。
【図４】楔形部が台形である例における本発明の光学シートの一部を拡大して示した図である。
【図５】光学機能シートが２層積層された例における本発明の光学シートの層構成を示した図である。
【図６】第二実施形態にかかる本発明の光学シートの断面を示し、その層構成を模式的に表した図である。
【図７】第三実施形態にかかる本発明の光学シートの断面を示し、その層構成を模式的に表した図である。
【図８】図７に示した光学シートの一部を拡大して示した図である。
【図９】図７に示した光学シートの変形例である光学シートの断面を示し、その層構成を模式的に表した図である。
【図１０】本発明の光学シートがプラズマテレビに取り付けられた場面においてＰＤＰ及び光学シート部分に着目して示した図である。
【図１１】視野角と相対輝度との関係を示した図である。
【図１２】図１に示した光学シートにおける外光吸収を説明するための図である。
【図１３】図６に示した光学シートにおける外光吸収を説明するための図である。
【図１４】従来の例における外光吸収を説明するための図である。
【符号の説明】
【００８２】
１  プラズマテレビ（表示装置）
２  プラズマディスプレイパネル（ＰＤＰ）
１０、２０、３０  光学シート
１１、２１、３１  光学機能シート層
１２、２２、３２  プリズム部
１３、２３、３３  楔形部
１４、２４、３４  バインダー部
１５、２５、３５  光吸収粒子
１６、２６、３６  ＰＥＴフィルム層
１７、２７、３７  光吸収層
１８、２８、３８  粘着剤層
【図１】
2009069416.tif 000005
【図２】
2009069416.tif 000006
【図３】
2009069416.tif 000007
【図４】
2009069416.tif 000008
【図５】
2009069416.tif 000009
【図６】
2009069416.tif 000010
【図７】
2009069416.tif 000011
【図８】
2009069416.tif 000012
【図９】
2009069416.tif 000013
【図１０】
2009069416.tif 000014
【図１１】
2009069416.tif 000015
【図１２】
2009069416.tif 000016
【図１３】
2009069416.tif 000017
【図１４】
2009069416.tif 000018